(57)【要約】【課題】攪拌翼の強度を向上させ、安定した衣類の洗い上がりを確保すること。【解決手段】攪拌翼６は、略鍋型形状または略平板形状の攪拌翼ベース底部２５ａの上面側に放射状に攪拌翼ベース突出部２５ｂを一体的に形成した樹脂成型品の攪拌翼ベース２５と、攪拌翼ベース２５の上面を覆うように攪拌翼ベース２５に固着された攪拌翼カバー１９とで構成され、攪拌翼カバー１９は、オーステナイト系ステンレス鋼板を基材とし、攪拌翼ベース２５の攪拌翼ベース底部２５ａに対応して攪拌翼カバー底部１９ａを形成し、攪拌翼ベース突出部２５ｂに対応して攪拌翼カバー突出部１９ｂを一体的に形成し、かつ、攪拌翼カバー突出部１９ｂの天面板厚が基材の略８０％以上の板厚となるように形成することにより、攪拌翼の強度を向上させ、耐食性の劣化を防止でき、衣類への錆の付着を防止し、安定した衣類の洗い上がりを確保することができる。【選択図】図３
2017029455.tif 000002
【特許請求の範囲】
【請求項１】
衣類を攪拌する攪拌翼を内底部に回転自在に配設した洗濯兼脱水槽と、前記洗濯兼脱水槽を回転自在に内包する外槽と、駆動機構部を介して前記攪拌翼および／または前記洗濯兼脱水槽を回転駆動するモータと、前記外槽底部に設けた排水口と、開閉動作により前記外槽内の洗濯水を機外へ排出する排水弁と、前記洗濯兼脱水槽内に給水する給水弁と、前記モータ、駆動機構部、排水弁、給水弁などの動作を制御し、洗い、すすぎ、脱水の各工程を制御する制御手段とを備え、前記攪拌翼は、略鍋型形状または略平板形状の攪拌翼ベース底部の上面側に放射状に攪拌翼ベース突出部を一体的に形成した樹脂成型品の攪拌翼ベースと、前記攪拌翼ベースの上面を覆うように前記攪拌翼ベースに固着された攪拌翼カバーとで構成され、前記攪拌翼カバーは、オーステナイト系ステンレス鋼板を基材とし、前記攪拌翼ベースの攪拌翼ベース底部に対応して攪拌翼カバー底部を形成し、前記攪拌翼ベース突出部に対応して攪拌翼カバー突出部を一体的に形成し、かつ、前記攪拌翼カバー突出部の天面板厚が基材の略８０％以上の板厚となるように形成した洗濯機。
【請求項２】
前記攪拌翼カバーの前記攪拌翼カバー底部の板厚が基材の略８０％以下となるように形成した請求項１に記載の洗濯機。
【発明の詳細な説明】
【技術分野】
【０００１】
本発明は、洗い、すすぎ、脱水工程を自動制御して行う洗濯機に関するものである。
【背景技術】
【０００２】
従来、この種の洗濯機は、攪拌翼の形状により回転水流を発生させて、洗濯物を効率的に洗うという構成が提案されている（例えば、特許文献１参照）。
【０００３】
図４は、特許文献１に記載された従来の洗濯機の洗濯機の攪拌翼の外観斜視図である。
【０００４】
図４において、洗濯兼脱水槽（図示せず）の内底部に回転自在に配設された円盤状の攪拌翼７０の表面は、周縁部７０ａに対して中心に行くほど深くなる盆状に形成されている。攪拌翼７０の表面には放射状に配される４つの羽根部７１が突出して形成されている。また、羽根部７１に対して周方向に隣接する凹部７２が設けられている。
【０００５】
羽根部７１の上面には攪拌翼７０の径方向に延びる複数のリブ７３ａが周方向に並設されている。このとき、外周側のリブ７３ａの間隔が内周側よりも狭く形成されている。また、凹部７２の上面には攪拌翼７０の周方向に延びる複数のリブ７３ｂが径方向に並設されている。このとき、リブ７３ｂは回転中心を中心とする円弧に対して湾曲し、羽根部７１に近い位置で回転中心からの距離が小さく、離れた位置で回転中心からの距離が大きくなっている。また、羽根部７１に近い位置のリブ７３ｂの間隔が離れた位置よりも狭く形成されている。
【０００６】
以上の構成にて、洗濯物の攪拌時に、流体の攪拌翼７０表面に対する作用を均質化して、消費電力を抑えつつ、洗浄効果を上げるようになっている。
【先行技術文献】
【特許文献】
【０００７】
【特許文献１】特開２０１３−１３５１０号公報
【発明の概要】
【発明が解決しようとする課題】
【０００８】
しかしながら、従来の構成では、攪拌翼は一体成型された樹脂により構成されているため、洗濯物が多い場合や洗濯水の水温が高い場合などには、洗濯物と洗濯水の重量により攪拌翼が変形し、攪拌翼の底面と洗濯兼脱水槽との隙間が狭くなり、最悪の場合は接触してしまい、攪拌翼や洗濯兼脱水槽が破損する恐れがあるという課題があった。
【０００９】
本発明は、前記従来の課題を解決するもので、樹脂製攪拌翼の上面にステンレス製のカバーを一体的に設けて二重構造とし、更にカバーの耐食性劣化を防止する形状とすることにより、攪拌翼の強度を向上させ、衣類へのカバーによる錆の付着を防止し、安定した衣類の洗いあがりを確保できる洗濯機を提供することを目的とする。
【課題を解決するための手段】
【００１０】
前記従来の課題を解決するために、本発明の洗濯機は、衣類を攪拌する攪拌翼を内底部に回転自在に配設した洗濯兼脱水槽と、前記洗濯兼脱水槽を回転自在に内包する外槽と、駆動機構部を介して前記攪拌翼および／または前記洗濯兼脱水槽を回転駆動するモータと、前記外槽底部に設けた排水口と、開閉動作により前記外槽内の洗濯水を機外へ排出する排水弁と、前記洗濯兼脱水槽内に給水する給水弁と、前記モータ、駆動機構部、排水弁、
給水弁などの動作を制御し、洗い、すすぎ、脱水の各工程を制御する制御手段とを備え、前記攪拌翼は、略鍋型形状または略平板形状の攪拌翼ベース底部の上面側に放射状に攪拌翼ベース突出部を一体的に形成した樹脂成型品の攪拌翼ベースと、前記攪拌翼ベースの上面を覆うように前記攪拌翼ベースに固着された攪拌翼カバーとで構成され、前記攪拌翼カバーは、オーステナイト系ステンレス鋼板を基材とし、前記攪拌翼ベースの攪拌翼ベース底部に対応して攪拌翼カバー底部を形成し、前記攪拌翼ベース突出部に対応して攪拌翼カバー突出部を一体的に形成し、かつ、前記攪拌翼カバー突出部の天面板厚が基材の略８０％以上の板厚となるように形成する構成としたものである。
【００１１】
これによって、攪拌翼の強度を向上させ、耐食性の劣化を防止でき、衣類へのカバーによる錆の付着を防止し、安定した衣類の洗い上がりを確保することができる。
【発明の効果】
【００１２】
本発明の洗濯機は、攪拌翼の強度を向上させ、耐食性の劣化を防止でき、衣類へのカバーによる錆の付着を防止し、安定した衣類の洗いあがりを確保することができる。
【図面の簡単な説明】
【００１３】
【図１】本発明の実施の形態における洗濯機の縦断面図
【図２】同洗濯機の要部縦断面図
【図３】同洗濯機の攪拌翼の分解斜視図
【図４】従来の洗濯機の攪拌翼の外観斜視図
【発明を実施するための形態】
【００１４】
第１の発明は、衣類を攪拌する攪拌翼を内底部に回転自在に配設した洗濯兼脱水槽と、前記洗濯兼脱水槽を回転自在に内包する外槽と、駆動機構部を介して前記攪拌翼および／または前記洗濯兼脱水槽を回転駆動するモータと、前記外槽底部に設けた排水口と、開閉動作により前記外槽内の洗濯水を機外へ排出する排水弁と、前記洗濯兼脱水槽内に給水する給水弁と、前記モータ、駆動機構部、排水弁、給水弁などの動作を制御し、洗い、すすぎ、脱水の各工程を制御する制御手段とを備え、前記攪拌翼は、略鍋型形状または略平板形状の攪拌翼ベース底部の上面側に放射状に攪拌翼ベース突出部を一体的に形成した樹脂成型品の攪拌翼ベースと、前記攪拌翼ベースの上面を覆うように前記攪拌翼ベースに固着された攪拌翼カバーとで構成され、前記攪拌翼カバーは、オーステナイト系ステンレス鋼板を基材とし、前記攪拌翼ベースの攪拌翼ベース底部に対応して攪拌翼カバー底部を形成し、前記攪拌翼ベース突出部に対応して攪拌翼カバー突出部を一体的に形成し、かつ、前記攪拌翼カバー突出部の天面板厚が基材の略８０％以上の板厚となるように形成した洗濯機とすることにより、攪拌翼の強度を向上させ、耐食性の劣化を防止でき、衣類へのカバーによる錆の付着を防止し、安定した衣類の洗いあがりを確保することができる。
【００１５】
第２の発明は、特に第１の発明の前記攪拌翼カバーの前記攪拌翼カバー底部の板厚が基材の略８０％以下となるように形成した洗濯機とすることにより、攪拌翼カバー１９のプレス加工時において、凹凸の大きな形状に成型するため、攪拌翼カバー底部１９ａの板厚を基材の略８０％以下とすることで、攪拌翼カバー突出部１９ｂの天面板厚が基材の略８０％以上を確保することができる。
【００１６】
以下、本発明の実施の形態について、図面を参照しながら説明する。なお、この実施の形態によって本発明が限定されるものではない。
【００１７】
（実施の形態１）
図１は、本発明の実施の形態１における洗濯機の縦断面図である。
【００１８】
図１において、筐体１は、複数のサスペンション２により外槽３をその内部に懸垂防振支持している。外槽３の内部には、洗濯物を収容する洗濯兼脱水槽４を回転自在に配設し、洗濯兼脱水槽４の中央底部に衣類（洗濯物）を攪拌する攪拌翼６を回転自在に配設している。攪拌翼６は、中空で２重構造とした洗濯・脱水軸の洗濯軸５ａに支持され、洗濯兼脱水槽４は脱水軸５ｂに支持されている。
【００１９】
攪拌翼６は、樹脂製の攪拌翼ベース２５と、その上面に一体的に固着されたステンレス製の攪拌翼カバー１９とで二重構造に構成されている。なお、攪拌翼６については、図２、図３で詳述する。
【００２０】
外槽３の底部には排水口７が設けられ、排水弁８の開閉により外槽３内の洗濯水を機外へ排水するようになっている。
【００２１】
また、洗濯兼脱水槽４は内部周壁には小孔４ａを多数設け、上部には内部に振動低減用の流体バランサー９が取り付けられており、脱水時の振動を防止している。
モータ１０は、外槽３の外底部に取り付けられ、その動力をベルト１１、駆動機構部１２を介して洗濯軸５ａ、脱水軸５ｂに回転を伝達し、攪拌翼６，及び洗濯兼脱水槽４を回転させる。
【００２２】
駆動機構部１２は、内部に洗濯時の減速ギア（図示せず）および洗濯軸５ａ、脱水軸５ｂの切り換えを行うクラッチ（図示せず）と、脱水時に洗濯兼脱水槽の回転を停止するためのブレーキ（図示せず）を内蔵している。
【００２３】
また、筐体カバー１３は筐体１の上部を覆うもので、略中央部に開閉蓋１４を開閉自在に有し、前部に操作表示部１５を有する制御装置１６を設けるとともに、後部に洗濯兼脱水槽４に給水する給水弁１７を設けている。
【００２４】
制御装置１６は、具備する制御手段（図示せず）により、モータ１０、給水弁１７、排水弁８などを制御するとともに、洗い、すすぎ、脱水の一連の工程を逐次制御するように構成してある。
【００２５】
図２は、本発明の実施の形態１における洗濯機の要部縦断面図、図３は、同洗濯機の攪拌翼の分解斜視図である。
【００２６】
図２、図３において、洗濯兼脱水槽４は底部を脱水軸５ｂにナット１８にて固着され、攪拌翼６は、樹脂成型品の攪拌翼ベース２５と、その上面に一体的に固着されたステンレス製の攪拌翼カバー１９とで二重構造に構成されている。
【００２７】
攪拌翼ベース２５は、略鍋型形状または略平板形状の攪拌翼ベース底部２５ａと、その上面側に放射状に形成された攪拌翼ベース突出部２５ｂとからなり、攪拌翼ベース底部２５ａと攪拌翼ベース突出部２５ｂとは、樹脂成型品にて一体的に形成されている。
【００２８】
攪拌翼カバー１９は、オーステナイト系ステンレス（例えば、ＳＵＳ３０４）鋼板を基材とし、攪拌翼ベース底部２５ａに対応して攪拌翼カバー底部１９ａを、および、攪拌翼ベース突出部２５ｂに対応して攪拌翼カバー突出部１９ｂを、略相似形で形成すべくプレス加工により一体的に形成している。攪拌翼カバー１９は、攪拌翼ベース２５上面全体を覆って、外周を加締めることで攪拌翼ベース２５に固着している。
【００２９】
また、攪拌翼６は、攪拌翼ベース２５の中央裏面にて洗濯軸５ａとセレーション嵌合するとともに、ネジ２０で洗濯軸５ａに螺合固着され、さらに、攪拌翼カバー１９の中央上
部にキャップ２１を嵌め込んで、運転中に衣類が攪拌翼カバー１９の端面、あるいはネジ２０の頭部に接触して損傷することを防止している。
【００３０】
上記構成において、まず、洗い工程では、排水弁８は閉止状態で、開閉蓋１４を開けて、洗濯兼脱水槽４に衣類（洗濯物）を投入し、水位を選択した場合はスタートさせると、所定水位まで給水し、モータ１０を通電させ攪拌翼６を正逆回転駆動させることで、攪拌翼カバー１９表面の凹凸形状（攪拌翼カバー底部１９ａ、攪拌翼カバー突出部１９ｂ）で衣類を攪拌し、洗濯物同士、または洗濯兼脱水槽４の内壁や攪拌翼カバー１９との接触により作用する機械力と、水流力により衣類に付着した汚れを離脱させ、所定時間が経過するとモータ１０への通電をやめ、洗い工程を終了し、すすぎ工程に移行する。
【００３１】
ここで、攪拌翼カバー１９は、攪拌翼カバー突出部１９ｂの天面板厚が基材の略８０％以上となるようにプレス加工されている。これは、プレス加工時に発生する加工歪が大きいと、オーステナイト組織から硬いマルテンサイト組織に変態（加工誘起マルテンサイト変態）し、マルテンサイト組織に変態すると耐食性が低下して、錆やすくなるのを防止するためである。一方、攪拌翼カバー底部１９ａの板厚は、基材の略８０％以下となるようにプレス加工されている。これは、上述したように、プレス加工時において、凹凸の大きな形状に成型するため、攪拌翼カバー底部１９ａの板厚を基材の略８０％以下とすることで、攪拌翼カバー突出部１９ｂの天面板厚が基材の略８０％以上を確保しているのである。
【００３２】
すなわち、攪拌翼カバー１９において、衣類との接触頻度は攪拌翼カバー底部１９ａに対して攪拌翼カバー突出部１９ｂが圧倒的に多く、高い形状であるが故に摩擦力も大きいため傷つき難いオーステナイト系ステンレス鋼板を基材としている。ただし、ボタンまたはジッパーのような衣類に付着された金属物質が攪拌翼カバー突出部１９ｂに集中して頻繁に接触しまうと引掻き傷が生じることもあるが、天面板厚が基材の略８０％以上を確保して、加工誘起マルテンサイト変態を防止していることで、耐食性の劣化を防止でき、衣類への錆の付着を防止し、安定した衣類の洗いあがりを確保することができる。一方、攪拌翼カバー底部１９ａは、衣類との接触頻度は攪拌翼カバー突出部１９ｂに対して少なく、ボタンやジッパーのような衣類に付着された金属物質が接触する可能性が非常に少ないため、仮に加工誘起マルテンサイト変態したとしても、引掻き傷が生じる可能性が非常に低いものである。
【００３３】
以上のように、本実施の形態においては、攪拌翼６は、略鍋型形状または略平板形状の攪拌翼ベース底部２５ａの上面側に放射状に攪拌翼ベース突出部２５ｂを一体的に形成した樹脂成型品の攪拌翼ベース２５と、攪拌翼ベース２５の上面を覆うように攪拌翼ベース２５に固着された攪拌翼カバー１９とで構成され、攪拌翼カバー１９は、オーステナイト系ステンレス鋼板を基材とし、攪拌翼ベース２５の攪拌翼ベース底部２５ａに対応して攪拌翼カバー底部１９ａを形成し、攪拌翼ベース突出部２５ｂに対応して攪拌翼カバー突出部１９ｂを一体的に形成し、かつ、攪拌翼カバー突出部１９ｂの天面板厚が基材の略８０％以上の板厚となるように形成することにより、攪拌翼の強度を向上させ、耐食性の劣化を防止でき、衣類への錆の付着を防止し、安定した衣類の洗い上がりを確保することができる。
【００３４】
また、攪拌翼カバー１９の攪拌翼カバー底部１９ａの板厚が基材の略８０％以下となるように形成することにより、攪拌翼カバー１９のプレス加工時において、凹凸の大きな形状に成型するため、攪拌翼カバー底部１９ａの板厚を基材の略８０％以下とすることで、攪拌翼カバー突出部１９ｂの天面板厚が基材の略８０％以上を確保することができる。
【産業上の利用可能性】
【００３５】
以上のように、本発明にかかる洗濯機は、攪拌翼の強度を向上させ、耐食性の劣化を防止でき、衣類への錆の付着を防止し、安定した衣類の洗い上がりを確保することが可能となるので、攪拌翼を有する他の洗濯機の用途に適用できる。
【符号の説明】
【００３６】
３  外槽
４  洗濯兼脱水槽
６  攪拌翼
７  排水口
８  排水弁
１０  モータ
１２  駆動機構部
１７  給水弁
１９  攪拌翼カバー
１９ａ  攪拌翼カバー底部
１９ｂ  攪拌翼カバー突出部
２５  攪拌翼ベース
２５ａ  攪拌翼ベース底部
２５ｂ  攪拌翼ベース突出部
【図１】
2017029455.tif 000003
【図２】
2017029455.tif 000004
【図３】
2017029455.tif 000005
【図４】
2017029455.tif 000006